(57)【要約】      （修正有）【課題】人工透析用水を循環供給する場合において、細菌の発生を防止でき、殺菌洗浄も容易であり、採水量の変動があっても必要な採水量を安定供給することができる、人工透析用水の供給装置を提供する。【解決手段】ＲＯ処理装置１０と、ＲＯ水を供給するための送水管21と、送水管２１から供給されたＲＯ水を装置１０に送る回収管２２と、送水管２１と回収管２２に両端が接続されたＲＯ水の取出管３１、３２、３３とを有している。取出管３１、３２、３３の内径は、送水管２１と回収管２２の内径よりも小さくなるように設定されており、取出管３１、３２、３３は両端側にバルブを有し、２つのバルブ間にＲＯ水の採水口を有している。【選択図】図１
2010187721.tif 000002
【特許請求の範囲】
【請求項１】
ＲＯ水を供給するＲＯ処理装置と、
前記ＲＯ処理装置からＲＯ水を供給するための送水管と、
前記送水管から供給されたＲＯ水を回収して前記ＲＯ処理装置に送る回収管と、
前記送水管の２以上の箇所に一端側が接続され、前記回収管の２以上の箇所に他端側が接続された２本以上のＲＯ水の取出管とを有しており、
前記取出管の内径が、前記送水管と前記回収管の内径よりも小さくなるように設定されており、
前記取出管が、前記一端側に取出バルブを有し、前記他端側に回収バルブを有し、前記取出バルブと前記回収バルブの間にＲＯ水の採水口を有している、人工透析用水の供給装置。
【請求項２】
前記採水口が、前記取出管に接続された短い管からなるものであり、前記採水口を形成する短い管の長さが１０ｃｍ未満の長さである、請求項１記載の人工透析用水の供給装置。
【請求項３】
前記２本以上のＲＯ水の取出管が同一又は異なる内径のものである、請求項１又は２記載の人工透析用水の供給装置。
【請求項４】
前記２本以上のＲＯ水の取出管が、前記採水口からの取出量が同量の場合は同じ内径の組み合わせにされ、前記採水口からの取出量が異なる量の場合は異なる内径の組み合わせにされている、請求項１〜３のいずれか１項記載の人工透析用水の供給装置。
【請求項５】
請求項１〜４のいずれか１項記載の人工透析用水の供給装置の洗浄方法であって、
ＲＯ処理装置で製造されたＲＯ水又は外部水源から供給された水からなる洗浄用水に対して薬液を添加する段階、
或いはＲＯ処理装置により製造されたＲＯ水又は外部水源から供給された水からなる洗浄用水を加熱する段階、
次に、前記薬液を含有する洗浄水又は加熱された洗浄水を、送水管、取出管、採水口を形成する管、回収管の順に循環させる工程、
を有している人工透析用水の供給装置の洗浄方法。
【請求項６】
請求項１〜４のいずれか１項記載の人工透析用水の供給装置を人工透析装置に接続した人工透析液の供給装置であり、
前記取出バルブと前記回収バルブの間に設けられたＲＯ水の採水口に人工透析装置が接続されたものである、人工透析液の供給装置。
【請求項７】
請求項１〜４のいずれか１項記載の人工透析用水の供給装置を人工透析装置に接続した人工透析液の供給装置であり、
前記取出バルブと前記回収バルブの間に設けられたＲＯ水の採水口に人工透析装置が接続されており、
さらに送水管と回収管に人工透析液の調製装置が接続され、前記人工透析液の調製装置と接続された複数の透析監視装置を備えている、人工透析液の供給装置。
【発明の詳細な説明】
【技術分野】
【０００１】
本発明は、人工透析用水を安定に循環供給するための人工透析用水の供給装置と、前記装置を用いた人工透析液の供給装置に関する。
【背景技術】
【０００２】
特許文献１〜３には、半導体の製造工程等において洗浄水として使用するための超純水を循環供給する装置が記載されている。いずれの発明の装置も、細菌の発生を防止するとの技術的思想は開示されている。
【０００３】
しかし、いずれの発明の装置も、異なる各採水ポイントで異なる量の超純水を採水するときであっても、各採水ポイントにおいて必要量を採水できるように安定供給することについては全く記載されていない。
【０００４】
さらに、超純水の循環ラインから各洗浄装置を繋ぐ採水ラインは、いずれの発明も、開閉バルブ等を設置するために長めの管が使用されている。このため、装置内の循環ラインを殺菌洗浄するときには、各採水ラインにおいて洗浄液が滞留し易くなって殺菌洗浄がし難くなり、十分な殺菌洗浄ができないことが考えられる。
【０００５】
特許文献１の第１図には、往路管４０５、４０６と復路管４０９の間に接続路管４０７、４０８が設けられており、接続路管４０７の内径が２０ｍｍで、接続路管４０８の内径が１５ｍｍであることが記載されている。しかし、第１図から明らかなとおり、採水ポイントは接続路管４０７に接続されており、管径の大小と安定量を採水することとの技術的関連性も記載されていない。
【先行技術文献】
【特許文献】
【０００６】
【特許文献１】特許第２６６１９４６号公報
【特許文献２】特開平１−３０７４８７号公報
【特許文献３】特開平１０−２２２５０号公報
【発明の概要】
【発明が解決しようとする課題】
【０００７】
本発明は、人工透析用水を循環供給する場合において、細菌の発生を防止でき、殺菌洗浄も容易であり、採水量の変動があっても必要な採水量を安定供給することができる、人工透析用水の供給装置を提供することを課題とする。
【０００８】
また本発明は、上記の人工透析用水の供給装置を用いた人工透析液の供給装置を提供することを他の課題とする。
【課題を解決するための手段】
【０００９】
本発明は、課題の解決手段として、
ＲＯ水を供給するＲＯ処理装置と、
前記ＲＯ処理装置からＲＯ水を供給するための送水管と、
前記送水管から供給されたＲＯ水を回収して前記ＲＯ処理装置に送る回収管と、
前記送水管の２以上の箇所に一端側が接続され、前記回収管の２以上の箇所に他端側が接続された２本以上のＲＯ水の取出管とを有しており、
前記取出管の内径が、前記送水管と前記回収管の内径よりも小さくなるように設定されており、
前記取出管が、前記一端側に取出バルブを有し、前記他端側に回収バルブを有し、前記取出バルブと前記回収バルブの間にＲＯ水の採水口を有している、人工透析用水の供給装置と、その洗浄方法を提供する。
【００１０】
本発明において、ＲＯ処理装置は「逆浸透膜処理装置」の略であり、ＲＯ水は、「逆浸透膜処理装置で処理された水」の略であり、ＲＯ水が人工透析用水となる。
【００１１】
本発明の人工透析用水の供給装置では、ＲＯ水の取出管の両端側に取出バルブと回収バルブを設けており、取出管の途中にＲＯ水の採水口を設けることにより、ＲＯ水の取出管内におけるＲＯ水の滞留が防止されるので、細菌の発生も抑制される。さらに装置内に液体が滞留し難くなっているので、薬液や熱水等の洗浄水を使用した洗浄方法を適用した場合における殺菌洗浄効果も高い。
【００１２】
また本発明の人工透析用水の供給装置では、ＲＯ水の取出管の内径が送水管と回収管の内径よりも小さくなるように設定されているため、ＲＯ水の取出管ごとにＲＯ水の採水量が増減する場合でも、各取出管に対して必要量を安定供給できる。
【００１３】
また本発明は、他の課題の解決手段として、
請求項１〜４のいずれか１項記載の人工透析用水の供給装置を人工透析装置に接続した人工透析液の供給装置であり、
前記取出バルブと前記回収バルブの間に設けられたＲＯ水の採水口に人工透析装置が接続されたものである、人工透析液の供給装置を提供する。
【００１４】
さらに本発明は、他の課題の解決手段として、
請求項１〜４のいずれか１項記載の人工透析用水の供給装置を人工透析装置に接続した人工透析液の供給装置であり、
前記取出バルブと前記回収バルブの間に設けられたＲＯ水の採水口に人工透析装置が接続されており、
さらに送水管と回収管に人工透析液の調製装置が接続され、前記人工透析液の調製装置と接続された複数の透析監視装置を備えている、人工透析液の供給装置を提供する。
【発明の効果】
【００１５】
本発明の人工透析用水の供給装置及び人工透析液の供給装置は、ＲＯ水や透析液が滞留することがないので、細菌の発生が抑制されると共に、薬液や熱水等による殺菌が容易であり、医学的観点からの高い安全性を維持することができる。
【００１６】
さらに本発明の人工透析用水の供給装置及び人工透析液の供給装置は、本発明の供給装置により人工透析用水が供給される人工透析装置が複数ある場合で、各人工透析装置における採水量が異なる場合であっても、必要量を安定供給することができる。
【図面の簡単な説明】
【００１７】
【図１】本発明における人工透析用水の供給装置及び人工透析液の供給装置の一実施形態を示す概念図。
【図２】本発明における人工透析用水の供給装置及び人工透析液の供給装置の他実施形態を示す概念図。
【図３】本発明における人工透析用水の供給装置及び人工透析液の供給装置の他実施形態を示す概念図。
【図４】図１の供給装置の部分拡大図。
【発明を実施するための形態】
【００１８】
（１）図１に示す人工透析用水の供給装置と、それを用いた人工透析液の供給装置
図１により、本発明の人工透析用水の供給装置（人工透析液の供給装置）の一実施形態を説明する。図１は、本発明の人工透析用水の供給装置（人工透析液の供給装置）の概念図である。
【００１９】
ＲＯ処理装置１０の液出口には、ＲＯ水を供給するための送水管２１が接続されており、ＲＯ処理装置１０の液戻り口には、回収されたＲＯ水を送るための回収管２２が接続されている。図１では、送水管２１と回収管２２が平行配置されている。送水管２１と回収管２２は、ポリ塩化ビニル等のプラスチック製、あるいは薬液洗浄や熱水洗浄が可能なフッ素樹脂やシリコーン樹脂材料からなるもの、ステンレス等の金属製のものが使用される。
【００２０】
ＲＯ処理装置１０は、逆浸透膜モジュール（図示せず）と、逆浸透膜により処理されたＲＯ水を貯水するためのタンク１１、ポンプ（図中のＰ）とを備えている。
【００２１】
ＲＯ処理装置１０近傍の回収管２２には、圧力調整バルブ４５が取り付けられている。送水管２１と回収管２２は、それらの管内径が同一であることが好ましい。
【００２２】
送水管２１の３カ所には、ＲＯ水の取出管３１、３２、３３の一端側開口部が接続され、回収管２２の３カ所には、ＲＯ水の取出管３１、３２、３３の他端側開口部が接続されている。
【００２３】
取出管３１、３２、３３は、プラスチックやゴム等の可撓性のある材料や金属製の材料などから選択されるが、薬液洗浄や熱水洗浄ができるようにすることを考慮すると、フッ素樹脂やシリコーン樹脂等からなるもの、ステンレス等の金属製からなるものが好ましい。さらに、送水管２１と回収管２２に接続される部分は金属製の接続手段を有していてもよい。取出管３１、３２、３３は、ネジや圧入（必要に応じてシール材を使用してもよい）等の手段により、送水管２１と回収管２２に対して着脱自在に取り付けられていることが好ましい。また、アダプタを介して、着脱自在に取り付けられていてもよい。
【００２４】
取出管３１の送水管２１側には取出バルブ４１ａが設けられており、取出バルブ４１ａを開閉することで、送水管２１から取出管３１への液体の出入りを制御することができる。
【００２５】
取出管３１の回収管２２側には回収バルブ４１ｂが設けられており、回収バルブ４１ｂを開閉することで、取出管３１から回収管２２への液体の出入りを制御することができる。
【００２６】
取出管３２にも、取出管３１と同様に、取出バルブ４２ａと回収バルブ４２ｂが設けられており、取出管３３にも、取出管３１と同様に、取出バルブ４３ａと回収バルブ４３ｂが設けられている。
【００２７】
取出管３１、３２、３３の内径は、それぞれが同一でもよいし、異なっていてもよいが、取出管３１、３２、３３の内径は、送水管２１と回収管２２の内径よりも小さくなるように設定されている。取出管３１、３２、３３の内径と、送水管２１と回収管２２の内径（送水管２１の内径＝回収管２２の内径）との比率は限定されるものではないが、本発明の課題を解決する観点からは、取出管３１、３２、３３の内径（内径が異なる場合は最大径）が、送水管２１と回収管２２の内径よりも少なくとも３〜１０％小さいことが好ましい。
【００２８】
取出管３１、３２、３３の途中（例えば中間位置であるが、これに限定されない）には、それぞれ金属製の三つ又管を使用した採水口３１ａ、３２ａ、３３ａが設けられている。
【００２９】
採水口３１ａ、３２ａ、３３ａを形成する部分の長さは、図４に示す部分の長さ（Ｌ）であり、この長さ（Ｌ）は１０ｃｍ未満で充分であり、好ましくは１〜５ｃｍの長さである。これらの採水口３１ａ、３２ａ、３３ａを形成する管には、バルブは全く設置されていない。
【００３０】
図１では、採水口３１ａ、３２ａ、３３ａは、それぞれ人工透析装置１１、１２、１３に接続されている。人工透析装置１１、１２、１３を設置したときは、前記装置内に設けたバルブにより、採水口３１ａ、３２ａ、３３ａからのＲＯ水の流入を制御できる。また、人工透析装置１１、１２、１３の人工透析液の供給能力は、同一であっても、異なっていてもよく、例えば、人工透析装置１１により１０人の患者に透析を行い、人工透析装置１２により５人の患者に透析を行い、人工透析装置１３により１人の患者に透析を行うような場合であってもよい。
【００３１】
取出管３１、３２、３３の内径の大きさは、採水口３１ａ、３２ａ、３３ａからのＲＯ水の採水量（人工透析装置１１〜１３へのＲＯ水の供給量）に応じて適宜調整することができる。
【００３２】
ＲＯ水の採水量が採水口３１ａ＞採水口３２ａ＞採水口３３ａの関係であれば、取出管３１の内径＞取出管３２の内径＞取出管３３の内径の関係にする。また、ＲＯ水の採水量が同量であれば、取出管３１の内径＝取出管３２の内径＝取出管３３の内径の関係にする。その他、ＲＯ水の採水量に応じて、適宜、取出管３１の内径＝取出管３２の内径＞取出管３３の内径のような関係にすることもできる。
【００３３】
取出管３１、３２、３３が、送水管２１と回収管２２に対してアダプタを介して着脱自在に接続されている場合には、ＲＯ水の採水量の増減に応じて、異なる内径の取出管に交換することができるので好ましい。
【００３４】
次に、図１に示す人工透析用水の供給装置の動作（運転方法）について説明する。
【００３５】
ＲＯ処理装置１０にて製造したＲＯ水は、一旦タンク１１に貯水され、そこからポンプを作動させて、送水管２１に流す。
【００３６】
人工透析装置１１、１２、１３の全てが使用中であれば、取出管３１、３２、３３の取出バルブ４１ａ、４２ａ、４３ａと回収バルブ４１ｂ、４２ｂ、４３ｂを開けておくが、一部不使用であれば、その取出管の取出バルブと回収バルブは閉じていてもよいし、開放していてもよい。
【００３７】
送水管２１から供給されたＲＯ水は、取出バルブ４１ａ、４２ａ、４３ａと回収バルブ４１ｂ、４２ｂ、４３ｂの開放により、取出管３１、３２、３３内に流入し、採水口３１ａ、３２ａ、３３ａから、人工透析装置１１、１２、１３における必要量が採水される。なお、患者に供給する人工透析液は、各人工透析装置１１、１２、１３において調製される。
【００３８】
このとき、送水管２１及び回収管２２の内径よりも取出管３１、３２、３３の内径が小さくなるように設定されているので、送水管２１と取出管３１、３２、３３との間に圧力差が生じる。このため、人工透析装置１１、１２、１３におけるＲＯ水の使用量が異なる場合（採水口３１ａ、３２ａ、３３ａからの採水量が異なる場合）であっても、各装置に必要量のＲＯ水を安定に供給することができる。なお、運転時における装置全体のＲＯ水を流す圧力は、圧力調整バルブ４５により調節する。
【００３９】
採水されなかった分のＲＯ水は、取出管３１、３２、３３から回収管２２に入り、貯水タンク１５に送られて、循環再利用される。ＲＯ水の循環再利用のために、回収管２２から貯水タンク１５に戻る回収管２２の途中に微粒子等の除去のために限外濾過膜装置を設けてもよい。
【００４０】
本発明の装置では、このようにしてＲＯ水を人工透析用水として循環させるものであるが、本発明の装置では、採水口３１ａ、３２ａ、３３ａを形成する管の長さが非常に短いので、長時間使用を継続しても、ＲＯ水が滞留する箇所がなく、細菌の発生が抑制される。
【００４１】
本発明の装置では、人工透析用水を供給するものであるため、医学的観点からの安全性を維持するため、使用終了後又は使用開始前において、装置内を殺菌洗浄することが望ましい。装置内の殺菌洗浄方法としては、タンク１１内に薬液（例えば、低濃度の次亜塩素酸ナトリウム水溶液、過酢酸水溶液等）を入れ、それを循環させる方法、タンク１１にヒーターを付設して熱水を生成させ、それを循環させる方法、あるいは前記２つの方法を組み合わせる方法等を適用することができる。
【００４２】
次に、図１に示す供給装置において、薬液を使用した殺菌洗浄方法を説明する。例えば貯水タンク１１内に薬液（次亜塩素酸ナトリウム水溶液）を添加する場合、貯水タンク１１内の次亜塩素酸ナトリウム濃度は１〜１０００ｐｐｍの範囲が好ましく、３０〜５００ｐｐｍがより好ましい。なお、貯水タンク１１とは別に設けた薬液タンクを使用してもよいし、その場合には、ＲＯ水に代えて、水道水等で希釈してもよい。また、薬液を使用する場合は、タンクを使用しないで、送水管２１又は回収管２２に直接薬液を注入するようにしてもよい。
【００４３】
次に、全てのバルブを開いた状態にてポンプを作動させて、貯水タンク１１、送水管２１、取出管３１〜３３、回収管２２、貯水タンク１１の循環ラインにて循環運転する。なお、人工透析装置１１〜１３は各装置内に設けられたバルブで薬液の流入を制御する。
【００４４】
この薬液による循環運転を５〜９０分間程度行うことにより、医学的観点から十分な程度の殺菌洗浄ができる。殺菌洗浄後、貯水タンク１１内の薬液をＲＯ水に入れ替え、今度はＲＯ水を循環運転して、供給装置内に残る薬液を洗浄除去する。
【００４５】
本発明の装置では、薬液や熱水で循環洗浄する場合においても、洗浄水が滞留する部分がないため、上記した特許文献１〜３の発明と比べると高いレベルでの殺菌洗浄処理ができるようになり、医学的観点からの装置自体の安全性を高めることができる。
【００４６】
（２）図２に示す人工透析用水の供給装置と、それを用いた人工透析液の供給装置
図２により、本発明の人工透析用水の供給装置（人工透析液の供給装置）の他実施形態を説明する。図２は、本発明の人工透析用水の供給装置（人工透析液の供給装置）の概念図である。
【００４７】
ＲＯ処理装置１１０の液出口には、ＲＯ水を供給するための送水管１２１が接続されており、ＲＯ処理装置１１０の液戻り口には、ＲＯ水を回収するための回収管１２２が接続されている。図２では、外側に送水管１２１が配置され、内側に回収管１２２が配置されている。送水管１２１と回収管１２２は、ポリ塩化ビニル等のプラスチック製、あるいは薬液洗浄や熱水洗浄が可能なフッ素樹脂やシリコーン樹脂材料からなるもの、ステンレス等の金属製のものが使用される。
【００４８】
ＲＯ処理装置１１０近傍の回収管１２２には、圧力調整バルブ１４５が取り付けられている。送水管１２１と回収管１２２は、それらの管内径が同一であることが好ましい。
【００４９】
送水管１２１の４カ所には、ＲＯ水の取出管１３１、１３２、１３３、１３４の一端側開口部が接続され、回収管１２２の４カ所には、ＲＯ水の取出管１３１、１３２、１３３、１３４の他端側開口部が接続されている。
【００５０】
取出管１３１、１３２、１３３は、プラスチックやゴム等の可撓性のある材料や金属製の材料などから選択されるが、薬液洗浄や熱水洗浄ができるようにすることを考慮すると、フッ素樹脂やシリコーン樹脂等からなるもの、ステンレス等の金属製からなるものが好ましい。さらに、送水管１２１と回収管１２２に接続される部分は金属製の接続手段を有していてもよい。取出管１３１〜１３４は、ネジや圧入（必要に応じてシール材を使用してもよい）等の手段により、送水管１２１と回収管１２２に対して着脱自在に取り付けられていることが好ましい。また、アダプタを介して、着脱自在に取り付けられていてもよい。
【００５１】
取出管１３１の送水管１２１側には取出バルブ１４１ａが設けられており、取出バルブ１４１ａを開閉することで、送水管１２１から取出管１３１へのＲＯ水の出入りを制御することができる。
【００５２】
取出管１３１の回収管１２２側には回収バルブ１４１ｂが設けられており、回収バルブ１４１ｂを開閉することで、取出管１３１から回収管１２２へのＲＯ水の出入りを制御することができる。
【００５３】
取出管１３２にも、取出管１３１と同様に、取出バルブ１４２ａと回収バルブ１４２ｂが設けられており、取出管１３３にも、取出管１３１と同様に、取出バルブ１４３ａと回収バルブ１４３ｂが設けられており、取出管１３４にも、取出管１３１と同様に、取出バルブ１４４ａと回収バルブ１４４ｂが設けられている。
【００５４】
ＲＯ水の取出管１３１〜１３４の内径は、それぞれが同一でもよいし、異なっていてもよいが、取出管１３１〜１３４の内径は、送水管１２１と回収管１２２の内径よりも小さくなるように設定されている。
【００５５】
取出管１３１〜１３４の途中（例えば中間位置であるが、これに限定されない）には、それぞれ金属製の三つ又管を使用したからなるＲＯ水の採水口１３１ａ、１３２ａ、１３３ａ、１３４ａが設けられている。採水口１３１ａ〜１３４ａを形成する部分の長さは１０ｃｍ未満で充分であり、好ましくは１〜５ｃｍの長さである。これらの採水口１３１ａ〜１３４ａを形成する管には、バルブは全く設置されていない。
【００５６】
図２では、採水口１３１ａ〜１３４ａは、それぞれ人工透析装置１１１、１１２、１１３、１１４に接続されている。人工透析装置１１１〜１１４を設置したときは、前記装置内に設けたバルブにより、採水口１３１ａ〜１３４ａからのＲＯ水の流入を制御する。また、人工透析装置１１１〜１１４の供給能力は、同一であっても、異なっていてもよく、例えば、人工透析装置１１１により１０人の患者に透析を行い、人工透析装置１１２により５人の患者に透析を行い、人工透析装置１１３、１１４により１人の患者に透析を行うような場合であってもよい。
【００５７】
取出管１３１〜１３４の内径は、採水口１３１ａ〜１３４ａからのＲＯ水の採水量（人工透析装置１１１〜１１４へのＲＯ水の供給量）に応じて適宜調整することができる。
【００５８】
ＲＯ水の採水量が採水口１３１ａ＞採水口１３２ａ＞採水口１３３ａ＞採水口１３４ａの関係であれば、取出管１３１の内径＞取出管１３２の内径＞取出管１３３の内径＞取出管１３４の内径の関係にする。また、採水量が同量であれば、取出管１３１の内径＝取出管１３２の内径＝取出管１３３の内径＝取出管１３４の内径の関係にする。その他、ＲＯ水の採水量に応じて、適宜、取出管１３１の内径＞取出管１３２の内径＞取出管１３３の内径＝取出管１３４の内径のような関係にすることもできる。
【００５９】
取出管１３１〜１３４が、送水管１２１と回収管１２２に対してアダプタを介して着脱自在に接続されている場合には、取出量の増減に応じて、異なる内径の液取出管に交換することができるので好ましい。
【００６０】
次に、図２に示す人工透析用水の供給装置の動作（運転方法）について説明する。ＲＯ処理装置１１０にて製造したＲＯ水を送水管１２１に流す。このとき、人工透析装置１１１〜１１４の全てが使用中であれば、取出管１３１〜１３４の取出バルブ１４１ａ〜１４４ａと回収バルブ１４１ｂ〜１４４ｂを開けておくが、一部不使用であれば、その取出管の取出バルブと回収バルブは閉じておいてもよいし、開放していてもよい。
【００６１】
送水管１２１及び回収管１２２の内径よりも取出管１３１〜１３４の内径が小さくなるように設定されているので、送水管１２１と取出管１３１〜１３４との間に圧力差が生じる。このため、人工透析装置１１１〜１１４におけるＲＯ水の使用量が異なる場合（採水口１３１ａ〜１３４ａからの採水量が異なる場合）であっても、各装置にＲＯ水を安定に供給することができる。なお、運転時における装置全体のＲＯ水を流す圧力は、圧力調整バルブ１４５により調節する。
【００６２】
図２に示す装置においても、図１に示す装置と同様に、細菌の発生抑制と殺菌洗浄性が優れているとの効果を得ることができる。
【００６３】
（３）図３に示す人工透析用水の供給装置と、それを用いた人工透析液の供給装置
図３により、本発明の人工透析用水の供給装置（人工透析液の供給装置）の他実施形態を説明する。図３は、本発明の人工透析用水の供給装置（人工透析液の供給装置）のより具体的な設置状態を示す概念図である。
【００６４】
ＲＯ処理装置１０は、貯水タンク１５、ＲＯ膜モジュール１６、原水タンク１７、ポンプ（図中のＰ）とを備えている。原水タンク１７は、外部の水源（水道水等）と接続されている。
【００６５】
図３では、個人用透析装置１１、１２、１３とは別に、多人数用透析装置にも供給できるようになっている。
【００６６】
個人用の人工透析装置１１、１２、１３の全てが使用中であれば、取出管３１、３２、３３の取出バルブ４１ａ、４２ａ、４３ａと回収バルブ４１ｂ、４２ｂ、４３ｂを開けておくが、一部不使用であれば、その取出管の取出バルブと回収バルブは閉じておくが、開放していてもよい。
【００６７】
送水管２１から供給されたＲＯ水は、取出バルブ４１ａ、４２ａ、４３ａと回収バルブ４１ｂ、４２ｂ、４３ｂの開放により、取出管３１、３２、３３内に流入し、人工透析装置１１、１２、１３における必要量が採水される。なお、患者に供給する人工透析液は、各人工透析装置１１、１２、１３において調製される。
【００６８】
採水されなかった分のＲＯ水は、取出管３１、３２、３３から回収管２２に入り、ＲＯ処理装置１０に送られる。そして、再びＲＯ処理装置１０にて処理され、ＲＯ水としてタンク１５に貯水され、再度、送水管２１に供給される。
【００６９】
ＲＯ処理装置１０から送水管２１に送られたＲＯ水は、透析液供給装置本体６０、Ａ原液調製装置６１、Ｂ原液調整装置６２にも供給することができるようになっており、各装置において必要量のＲＯ水が採水され、採水されなかったＲＯ水は回収管２２に流される。透析液供給装置本体６０、Ａ原液調製装置６１、Ｂ原液調整装置６２の各装置内に設けたバルブにより、各採水口からのＲＯ水の流入を制御できる。
【００７０】
透析液供給装置本体６０には、Ａ原液調製装置６１とＢ原液調整装置６２が接続されている。ここでＡ原液調製装置６１とＢ原液調整装置６２は、人工透析液に必要なＡ原液とＢ原液をそれぞれ供給するための装置である。Ａ原液調製装置６１とＢ原液調整装置６２から透析液供給装置本体６０にＡ原液とＢ原液が送られ、そこで人工透析液が調製される。
【００７１】
透析液供給装置本体６０にて調製された人工透析液は、人工透析液の送液管７１から透析監視装置５１、５２、５３に送られ、各監視装置から複数床の透析患者に供給される。
【００７２】
図３に示す装置の場合も、図１、図２の装置と同様に、透析液供給装置本体６０、Ａ原液調製装置６１、Ｂ原液調整装置６２の各装置における採水口６０ａ、６１ａ、６２ａは、採水口３１ａ、３２ａ、３３ａと同様に短い管（１〜５ｃｍ）からなるものである。これらの採水口３１ａ、３２ａ、３３ａを形成する管には、バルブは全く設置されていない。
【００７３】
図３に示す装置においても、図１、図２の装置と同様の作用効果を得ることができる。
【００７４】
次に、図３に示す供給装置において、薬液を使用した殺菌洗浄方法を説明する。例えば貯水タンク１５内に薬液（次亜塩素酸ナトリウム水溶液）を添加する場合、貯水タンク１５内の次亜塩素酸ナトリウム濃度は１〜１０００ｐｐｍの範囲が好ましく、３０〜５００ｐｐｍの範囲がより好ましい。なお、貯水タンク１５とは別に設けた薬液タンクを使用してもよい。
【００７５】
次に、全てのバルブを開いた状態にてポンプを作動させて、貯水タンク１５、送水管２１、取出管３１〜３３、回収管２２、貯水タンク１５の循環ラインにて循環運転する。但し、人工透析装置１１〜１３及び透析液供給装置本体６０、Ａ原液調製装置６１、Ｂ原液調整装置６２は各装置内に設けられたバルブで薬液の流入を制御する。
【００７６】
この薬液による循環運転を５〜９０分間程度行うことにより、医学的観点から十分な程度の殺菌洗浄ができる。殺菌洗浄後、貯水タンク１５内の薬液をＲＯ水に入れ替え、今度はＲＯ水を循環運転して、供給装置内に残る薬液を洗浄除去する。
【００７７】
また図３の装置では、透析監視装置５１、５２、５３側への供給ラインも、上記の個人用透析装置１１、１２、１３の場合と同様に貯水タンク１５に戻す管を設けることで循環ラインにして、上記と同様の薬液洗浄あるいは熱水洗浄をすることができる。この場合、貯水タンク１５とは別に設けた薬液タンクを使用してもよいし、その場合には、ＲＯ水に代えて、水道水等で希釈してもよい。また、薬液を使用する場合は、タンクを使用しないで、送水管１２１又は回収管１２２に直接薬液を注入するようにしてもよい。
【実施例】
【００７８】
実施例１
図１で示す供給装置を用いて、人工透析用水の供給を行った。装置の詳細は、以下のとおりである。なお、送水管と回収管は硬質ポリ塩化ビニル製であり、取出管はポリ塩化ビニル製のチューブであり、採水口はステンレス製からなるものである。
【００７９】
ＲＯ処理装置１０：ＶＣＲ−ＳＵ（ダイセン・メンブレン・システムズ(株)製）
貯水タンク１５：容量１５０Ｌ
送水管２１の内径：２０ｍｍ
回収管２２の内径：２０ｍｍ
取出管３１の内径：１９ｍｍ
取出管３２の内径：１２ｍｍ
取出管３３の内径：８ｍｍ
採水口３１ａの管長さ（図４のＬ）：３０ｍｍ
採水口３２ａの管長さ（図４のＬ）：２５ｍｍ
採水口３３ａの管長さ（図４のＬ）：１５ｍｍ
人工透析装置１１のＲＯ水の最大使用量：９００Ｌ／ｈ
人工透析装置１２のＲＯ水の最大使用量：６００Ｌ／ｈ
人工透析装置１２のＲＯ水の最大使用量：１００Ｌ／ｈ
【００８０】
ポンプを作動し、圧力調整バルブ４５で圧力を調整しながら、表１に示す流量にてＲＯ水（人工透析用水）を循環供給した。なお、取出バルブ４１ａ、４２ａ、４３ａ、回収バルブ４１ｂ、４２ｂ、４３ｂは全て開放した。
【００８１】
表１に示す流量と圧力の測定位置は、送水管２１は、ＲＯ処理装置１０に近接した位置であり、装置１１、１２、１３は、採水口３１ａ、３２ａ、３３ａであり、回収管２２は、圧力調整バルブ４５に近接した位置である。
【００８２】
【表１】
2010187721.tif 000003
装置１１、１２で採水した場合（装置11/12）、装置１１、１３で採水した場合（装置11/13）、装置１２、１３で採水した場合（装置12/13）は、取出管３１、３２、３３の内径が異なり、採水量が異なるにも拘わらず、同じ圧力にて、必要量を採水することができた。
【００８３】
さらに装置１１、１２、１３で同時に採水した場合（装置11/12/13）においても、同様の結果が得られた。
【００８４】
また、図１において、人工透析装置１１、取出管３１と人工透析装置１３と取出管３３の位置を入れ替えた場合（即ち、図１にて、左側から順に、取出管３３と装置１３の組み合わせ、取出管３２と装置１２の組み合わせ、取出管３１と装置１１の組み合わせになっており、取出管３３と装置１３の組み合わせが最もＲＯ処理装置に１０に近い位置にある）であっても、上記表１と同じ結果が得られた。
【符号の説明】
【００８５】
１０  ＲＯ処理装置
１１、１２、１３  人工透析装置
２１  送水管
２２  回収管
３１、３２、３３  ＲＯ水の取出管
３１ａ、３２ａ、３３ａ  ＲＯ水の採水口
４１ａ、４２ａ、４３ａ  ＲＯ水の取出バルブ
４１ｂ、４２ｂ、４３ｂ  ＲＯ水の回収バルブ
４５  圧力調整バルブ
【図１】
2010187721.tif 000004
【図２】
2010187721.tif 000005
【図３】
2010187721.tif 000006
【図４】
2010187721.tif 000007